(57)【要約】【課題】媒体アダプタに収容した被印刷媒体から供給されるテープに印刷を行う際の印字不良を防ぐ。【解決手段】媒体アダプタ１０を収容するアダプタ収容部２ａを有する装置筐体２と、装置筐体２のアダプタ収容部２ａを開閉可能な態様で装置筐体２に取り付けられた蓋４とを備える印刷装置１が、アダプタ収容部２ａに収容された媒体アダプタ１０が収容の対象とするテープ４２の幅を検知し、媒体アダプタ１０に収容された被記録媒体４０におけるテープ４２の幅の情報を含む、媒体アダプタ１０の内部の情報を取得し、取得した媒体アダプタ１０の内部の情報に基づいて識別した媒体アダプタ１０に収容されたテープ４２の幅と、アダプタ検知部１１０において検知したテープ４２の幅とが一致している場合に、媒体アダプタ１０から供給されるテープ４２に対する印刷処理を実行する。【選択図】図８
2019162813.tif 000002
【特許請求の範囲】
【請求項１】
長手方向に巻かれたテープを収容した媒体アダプタから供給される前記テープに印刷を行う印刷装置であって、
前記媒体アダプタを収容するアダプタ収容部を有する装置筐体と、
前記装置筐体における前記アダプタ収容部を開閉可能な態様で前記装置筐体に取り付けられた蓋と、
前記アダプタ収容部に収容された前記媒体アダプタが収容の対象とする前記テープの幅を検知するアダプタ検知部と、
前記蓋が閉じている状態で、前記媒体アダプタに収容された前記テープの幅の情報を含む、前記媒体アダプタの内部の情報を取得するアダプタ内部情報取得部と、
取得した前記媒体アダプタの内部の情報に基づいて識別した前記媒体アダプタに収容された前記テープの幅と、前記アダプタ検知部において検知した前記テープの幅とが一致している場合に、前記媒体アダプタから供給される前記テープに対する印刷処理を実行する制御部と、を備える
ことを特徴とする印刷装置。
【請求項２】
請求項１に記載の印刷装置であって、
前記被記録媒体は、前記環形状のテープにおけるテープ幅方向の一方の端面に、前記テープの幅を示す情報が印刷されたアテンションシートが貼り付けられており、
前記アダプタ内部情報取得部は、前記アテンションシートの情報を取得する、
ことを特徴とする印刷装置。
【請求項３】
請求項２に記載の印刷装置であって、
前記アダプタ内部情報取得部により取得した前記アテンションシートの情報から前記媒体アダプタに収容された前記テープの幅を抽出して識別するテープ幅識別部、を更に備える
ことを特徴とする印刷装置。
【請求項４】
請求項３に記載の印刷装置であって、
前記アテンションシートの情報は、前記被記録媒体の型番を示す情報を含み、
前記テープ幅識別部は、前記アテンションシートの情報から前記型番を識別し、識別した前記型番に基づいて前記媒体アダプタに収容された前記テープの幅を識別する
ことを特徴とする印刷装置。
【請求項５】
請求項２乃至請求項４のいずれか１項に記載の印刷装置であって、
前記アテンションシートの情報は、前記テープの色を示す情報を含み、
前記アダプタ内部情報取得部により取得した前記アテンションシートの情報から前記媒体アダプタに収容された前記テープの色を抽出して識別するテープ色識別部、を更に備える
ことを特徴とする印刷装置。
【請求項６】
請求項２乃至請求項５のいずれか１項に記載の印刷装置であって、
該印刷装置は、
前記媒体アダプタの外部に繰り出された前記テープを搬送する搬送部と、
前記搬送部の動作状況と、前記アダプタ内部情報取得部により取得した情報とに基づいて、前記媒体アダプタの内部に前記テープがあるか否かを識別するテープ有無識別部と、を更に備える
ことを特徴とする印刷装置。
【請求項７】
請求項６に記載の印刷装置であって、
前記テープ有無識別部は、前記搬送部が搬送動作時に、前記アダプタ内部情報取得部により取得した前記アテンションシートの情報から、前記アテンションシートが回転しているか否かを判別し、判別結果に基づいて前記テープがあるか否かを識別する
ことを特徴とする印刷装置。
【請求項８】
長手方向に巻かれたテープを収容した媒体アダプタから供給される前記テープに印刷を行う印刷装置が、
該印刷装置に収容された前記媒体アダプタが収容の対象とする前記テープの幅を検知し、
前記媒体アダプタに収容された前記被記録媒体における前記テープの幅の情報を含む、前記媒体アダプタの内部の情報を取得し、
取得した前記媒体アダプタの内部の情報に基づいて、前記アダプタに収容された前記テープの幅を識別し、
前記媒体アダプタに収容された前記テープの幅と、検知した前記テープの幅とが一致している場合に、前記媒体アダプタから供給される前記テープに対する印刷を実行する
ことを特徴とする印刷装置の制御方法。
【発明の詳細な説明】
【技術分野】
【０００１】
本明細書の開示は、印刷装置及び印刷装置の制御方法に関する。
【背景技術】
【０００２】
従来から、長手方向に巻かれてロール形状を有した印刷用のテープに文字、図形等を印刷してラベルを作成するラベルプリンタが知られている。この種のラベルプリンタには、箱状の部材にテープを含む被印刷媒体が収容されたテープカートリッジを装着し、該テープカートリッジから供給される連テープに文字、図形等を印刷するものがある。
【０００３】
特許文献１には、被印刷媒体を収容したテープカートリッジを収容するラベルプリンタが記載されている。
【先行技術文献】
【特許文献】
【０００４】
【特許文献１】特開２０１４−０２８４４８号公報
【発明の概要】
【発明が解決しようとする課題】
【０００５】
ラベルプリンタに使用される印刷用のテープには、幅、印刷面の色などの組み合わせが異なる様々な種類のものが存在する。ユーザは、用途や好みに応じて選択したテープを含む被印刷媒体をユーザ自身で印刷装置に装着することで、種類の異なる複数の被印刷媒体を使い分けることができる。
【０００６】
また、被印刷媒体が収容されたテープカートリッジを装着する印刷装置の場合、印刷装置において印刷可能なテープの幅の種類に応じた複数種類のテープカートリッジを用意することで、複数種類の被印刷媒体を使い分ける際の被印刷媒体の保管するスペースを省スペース化することが可能となる。すなわち、テープ幅が同一で印刷面の色が異なる複数種類の被印刷媒体を印刷装置に装着する際に用いるテープカートリッジを１個にして共有することで、収容された被印刷媒体の種類が異なる複数のテープカートリッジを保管する場合に比べ、保管スペースを省スペース化することが可能となる。
【０００７】
しかしながら、ユーザ自身がテープカートリッジ（媒体アダプタ）を開閉して収容する被印刷媒体を交換する場合、誤って、テープカートリッジが収容する対象となるテープ幅とは異なる幅の被印刷媒体を収容してしまうことがある。このように、テープカートリッジと収容する被印刷媒体のテープ幅との組み合わせが誤っている状態でテープカートリッジを印刷装置に装着し印刷処理を行うと、テープカートリッジから供給されるテープが斜行し、印字不良等の印刷ミスが生じる。
【０００８】
本発明の一側面に係る目的は、上記の実情を踏まえたものであり、媒体アダプタに収容した被印刷媒体から供給されるテープに印刷を行う際の印字不良を防ぐ技術を提供することである。
【課題を解決するための手段】
【０００９】
本発明の一態様に係る印刷装置は、長手方向に巻かれたテープを収容した媒体アダプタから供給される前記テープに印刷を行う印刷装置であって、前記媒体アダプタを収容するアダプタ収容部を有する装置筐体と、前記装置筐体における前記アダプタ収容部を開閉可能な態様で前記装置筐体に取り付けられた蓋と、前記アダプタ収容部に収容された前記媒体アダプタが収容の対象とする前記テープの幅を検知するアダプタ検知部と、前記蓋が閉じている状態で、前記媒体アダプタに収容された前記テープの幅の情報を含む、前記媒体アダプタの内部の情報を取得するアダプタ内部情報取得部と、取得した前記媒体アダプタの内部の情報に基づいて識別した前記媒体アダプタに収容された前記テープの幅と、前記アダプタ検知部において検知した前記テープの幅とが一致している場合に、前記媒体アダプタから供給される前記テープに対する印刷処理を実行する制御部と、を備える印刷装置である。
【００１０】
また、本発明の一態様に係る印刷装置の制御方法は、長手方向に巻かれたテープを収容した媒体アダプタから供給される前記テープに印刷を行う印刷装置が、該印刷装置に収容された前記媒体アダプタが収容の対象とする前記テープの幅を検知し、前記媒体アダプタに収容された前記被記録媒体における前記テープの幅の情報を含む、前記媒体アダプタの内部の情報を取得し、取得した前記媒体アダプタの内部の情報に基づいて、前記アダプタに収容された前記テープの幅を識別し、前記媒体アダプタに収容された前記テープの幅と、検知した前記テープの幅とが一致している場合に、前記媒体アダプタから供給される前記テープに対する印刷を実行する印刷装置の制御方法である。
【発明の効果】
【００１１】
上記の態様によれば、媒体アダプタに収容した被印刷媒体から供給されるテープに印刷を行う際の印字不良を防ぐことが可能となる。
【図面の簡単な説明】
【００１２】
【図１】蓋４を閉じた状態における印刷装置１の平面図である。
【図２】蓋４を開けた状態における印刷装置１の平面図である。
【図３】被記録媒体４０の構成を説明する分解斜視図である。
【図４】媒体アダプタ１０の構成を示す斜視図である。
【図５】アダプタ蓋３０を閉じた状態の媒体アダプタ１０におけるテープ繰出部分の拡大斜視図である。
【図６】図４のＡ−Ａ線断面図である。
【図７】収容に適した感熱テープ４２のテープ幅が異なる複数種類の媒体アダプタ１０−１〜１０−４のそれぞれを印刷装置１のアダプタ収容部２ａ内で支持する方法を説明する図である。
【図８】一実施形態に係る印刷装置１の機能構成を示す図である。
【図９】一実施形態に係る印刷装置１が行う処理を説明するフローチャートである。
【図１０】アダプタ判別処理の内容を説明するフローチャートである。
【図１１】テープ幅識別処理の内容を説明するフローチャートである。
【図１２】テープ色識別処理の内容を説明するフローチャートである。
【図１３】アダプタ内部情報取得部１１１により取得可能な光学的な情報を説明する図である。
【図１４】被記録媒体４０の使用を開始した直後におけるアダプタ内部の光学的な情報を説明する図である。
【図１５】被記録媒体４０の感熱テープ４２を半分程度使用した状態でのアダプタ内部の光学的な情報を説明する図である。
【図１６】搬送動作時における媒体アダプタ１０内のテープの有無の識別方法を説明する図である。
【発明を実施するための形態】
【００１３】
まず、図１及び図２を参照しながら、一実施形態に係る印刷装置の構成について説明する。図１は、蓋４を閉じた状態における印刷装置１の平面図である。図２は、蓋４を開けた状態における印刷装置１の平面図である。
【００１４】
図１及び図２に示した印刷装置１は、被記録媒体４０が有する感熱テープ４２に印刷を行うラベルプリンタである。感熱テープ４２は、印刷用のテープの一例である。以降では、感熱テープ４２に印刷をする感熱方式のラベルプリンタを印刷装置１の例として説明するが、印刷装置１の印刷方式は特に限定されない。例えば、印刷装置１は、インクリボンを使用する熱転写方式のラベルプリンタであってもよい。また、ラベルプリンタである印刷装置１は、サーマルプリンタに限らない。例えば、印刷装置１は、インクジェットプリンタ、レーザプリンタ等であってもよい。また、印刷装置１は、シングルパス（ワンパス）方式で印刷を行ってもよく、マルチパス（スキャン）方式で印刷を行ってもよい。
【００１５】
印刷装置１は、装置筐体２と、入力装置３と、蓋４と、表示装置５と、を備える。
【００１６】
装置筐体２は、印刷装置１の動作を制御する制御回路の一部を含むプリント回路板（図示せず）、媒体アダプタ１０、プラテンローラ６、サーマルヘッド７、カッター８等を収容する。装置筐体２には、蓋４が開閉自在な状態で取り付けられている。また、図示はしていないが、装置筐体２には、電源コード接続端子、外部機器接続端子、記憶媒体挿入口等が設けられている。
【００１７】
装置筐体２のうちの、蓋４が閉じた状態である場合に蓋４の下方となる領域には、アダプタ収容部２ａ、プラテンローラ６、サーマルヘッド７、及びカッター８が設けられている。アダプタ収容部２ａには、媒体アダプタ１０を収容可能な凹形状の収容空間（図示せず）が設けられている。媒体アダプタ１０は、感熱テープ４２を含む被記録媒体４０を収容するケース部材である。印刷装置１により文字等を印刷する感熱テープ４２は、媒体アダプタ１０から供給される。
【００１８】
プラテンローラ６は、媒体アダプタ１０から供給される感熱テープ４２を搬送する搬送部である。プラテンローラ６は、図示しない搬送用モータの回転により回転する。搬送用モータは、例えば、ステッピングモータ、直流（ＤＣ）モータなどである。印刷装置１では、媒体アダプタ１０から供給される（繰り出された）感熱テープ４２をプラテンローラ６とサーマルヘッド７との間に狭持した状態でプラテンローラ６を回転させることにより、感熱テープ４２を搬送方向に搬送する。
【００１９】
サーマルヘッド７は、感熱テープ４２に印刷を行う印刷ヘッドである。サーマルヘッド７は、感熱テープ４２の搬送方向に直交する主走査方向に配列された複数の発熱素子を有し、発熱素子で感熱テープ４２を加熱することにより一ラインずつ印刷を行う。サーマルヘッド７は、感熱テープ４２に印刷する印刷部の一例である。
【００２０】
カッター８は、感熱テープ４２を切断する切断装置である。カッター８は、感熱テープ４２の搬送方向における所定の位置をフルカット又はハーフカットする。フルカットはセパレータ（剥離紙）を含む感熱テープ４２全体を切断して感熱テープ４２を切り出す切断方法であり、ハーフカットは、感熱テープ４２におけるセパレータは切断しない切断方法である。
【００２１】
入力装置３は、装置筐体２の上面であって、蓋４を閉じた状態であるときに蓋４とは重ならない領域に設けられている。入力装置３は、利用者が感熱テープ４２に印刷する文字や図形の入力、印刷装置１の動作を制御する各種命令の入力を行う入力装置の一例である。入力装置３は、入力キー、十字キー、変換キー、及び決定キーなどの種々のキーを備える。
【００２２】
蓋４は、装置筐体２上に開閉自在な態様で配置されている。蓋４は、図示していないロック機構により、図１に示した閉じた状態に保持される。利用者（ユーザ）は、蓋４に設けられたボタン４ｒを押下してロック機構を解除することで、図２に示すように、蓋４を開けることができる。また、本実施形態に係る印刷装置１に装着する媒体アダプタ１０は、図２に示すように、アダプタ収容部２ａに収容して蓋４を閉じた場合に蓋４と向かい合う面が透明な部材で形成されている。すなわち、利用者は、アダプタ収容部２ａに媒体アダプタ１０を収容した状態で、媒体アダプタ１０に被記録媒体４０が収容されているか否かを目視で確認することが可能である。更に、本実施形態に係る印刷装置１における蓋４は、蓋４を閉じたときに媒体アダプタ１０に収容された被記録媒体４０の一部分と重なる領域に、窓４０４が設けられている。窓４０４は、媒体アダプタ１０に収容された被記録媒体４０における感熱テープの幅や色を示す情報が提示された領域Ａｗと重なる領域に設けられている。このため、利用者は、蓋４が閉じた状態であっても印刷装置１に媒体アダプタ１０（被印刷媒体４０）が収容されているか否かを目視で確認することが可能である。
【００２３】
また、印刷装置１は、幅が異なる複数種類の感熱テープ４２のそれぞれに印刷を行うことが可能となっている。このため、本実施形態の印刷装置１における装置筐体２のアダプタ収容部２ａは、収容する被印刷媒体４０（感熱テープ４２）の幅が異なる複数種類の媒体アダプタ１０を収容可能な凹形状となっている。これら複数種類の媒体アダプタ１０は、それぞれ、図２に示した平面形状が同一であり、感熱テープ４２の幅方向となる厚さ方向の寸法が異なる。
【００２４】
アダプタ収容部２ａに媒体アダプタ１０を収容して印刷を行う場合、サーマルヘッド７に供給する感熱テープ４２の幅方向への位置ずれを防ぐために、媒体アダプタ１０は、厚さ方向の位置ずれを抑制することが可能な状態で保持することが望まれる。このため、厚さ方向の寸法が異なる複数種類の媒体アダプタ１０を利用可能な印刷装置１では、アダプタ本体２０の外周側面に設けたヒレ部（図示せず）を、アダプタ収容部２ａに設けた支持部（図示せず）及び蓋４に設けた支持部４０１，４０２で挟持して媒体アダプタ１０を保持する。更に、本実施形態の印刷装置１では、媒体アダプタ１０、アダプタ収容部２ａの支持部、及び蓋４の支持部４０１，４０２の形状についての公差により印刷時等に生じる媒体アダプタ１０のがたつきを防止するため、蓋４にアダプタ押さえ部４０３を設けている。アダプタ押さえ部４０３は、アダプタ収容部２ａに媒体アダプタ１０を収容した状態で蓋４を閉じたときに、ばね等の弾性部材に生じる弾性復元力により、媒体アダプタ１０に押圧荷重を印加する。
【００２５】
加えて、本実施形態の印刷装置１では、蓋４のうちの蓋４を閉じたときに媒体アダプタ１０と対向する面に、媒体アダプタ１０の内部の情報を取得するセンサ４０５が設けられている。センサ４０５は、蓋４における窓４０４の近傍に設置されている。センサ４０５は、媒体アダプタ１０に被記録媒体４０が収容されているか否か、媒体アダプタ１０に収容された被記録媒体４０に含まれる感熱テープ４２の幅及び色を示す情報を取得するアダプタ内部情報取得部の一例である。
【００２６】
表示装置５は、蓋４の外方を向いた面のうちの蓋４を閉じたときに上面となる面に設けられている。表示装置５は、例えば、液晶ディスプレイ、有機ＥＬ（electro-luminescence）ディスプレイなどである。表示装置５は、入力装置３からの入力に対応する文字や図形、各種設定のための選択メニュー、各種処理に関するメッセージ等、を表示する表示装置の一例である。なお、表示装置５は、タッチパネル付きのディスプレイ等、入力装置３の一部として利用可能な機能を持つものであってもよい。
【００２７】
本実施形態の印刷装置１では、上記のように、装置筐体２のアダプタ収容部２ａに媒体アダプタ１０が収容される。媒体アダプタ１０は、感熱テープ４２を含む被印刷媒体４０を収容するためのケースであり、利用者が被印刷媒体４０を交換できるように、被印刷媒体４０を収容する。すなわち、本実施形態に係る媒体アダプタ１０は、利用者が媒体アダプタ１０に対して被印刷媒体４０を適宜出し入れすることを前提に設計されている。
【００２８】
更に、本実施形態の印刷装置１は、上記のように、テープ幅が異なる複数種類の媒体アダプタのそれぞれに印刷を行うことが可能である。このため、本実施形態の印刷装置１と組み合わせて用いる媒体アダプタ１０は、印刷可能なテープ幅毎に用意される。例えば、本実施形態の印刷装置１では、テープ幅が６ｍｍの感熱テープ、テープ幅が９ｍｍの感熱テープ、テープ幅が１２ｍｍの感熱テープ、及びテープ幅が１８ｍｍの感熱テープのそれぞれに印刷を行うことが可能である。この場合、印刷装置１と組み合わせる媒体アダプタ１０としては、テープ幅が６ｍｍの感熱テープを収容する媒体アダプタ、テープ幅が９ｍｍの感熱テープを収容する媒体アダプタ、テープ幅が１２ｍｍの感熱テープを収容する媒体アダプタ、及びテープ幅が１８ｍｍの感熱テープを収容する媒体アダプタが用意される。これら複数種類の媒体アダプタは、それぞれ、図２に示した平面形状が同一であり、収容する被記録媒体４０（感熱テープ４２）のテープ幅方向と対応した厚さ方向の寸法が異なる。また、厚さ方向の寸法が異なる複数種類の媒体アダプタ１０は、それぞれ、アダプタ収容部２ａに収容したときに上面となる面に、収容に適した被記録媒体４０（感熱テープ４２）のテープ幅を示す情報が印刷されている。例えば、図２の媒体アダプタ１０は、テープ幅を示す「１２」という数字が印刷されている。すなわち、図２の媒体アダプタ１０は、テープ幅が１２ｍｍの感熱テープ（被記録媒体４０）を収容するのに適した寸法で形成されている。図２の媒体アダプタ１０にテープ幅が１２ｍｍよりも狭い感熱テープ（被記録媒体４０）を収容した場合には、テープ幅方向における被記録媒体４０の位置の変動量が大きくなり、媒体アダプタ１０から供給される感熱テープ４２の幅方向の位置が不安定となる。また、図２の媒体アダプタ１０にテープ幅が１２ｍｍよりも広い感熱テープ（被記録媒体４０）を収容しようとした場合には、後述するアダプタ蓋３０（図４を参照）を閉じた位置で保持することができない。
【００２９】
図３は、被記録媒体４０の構成を説明する分解斜視図である。図３に示すように、媒体アダプタ１０に収容する被記録媒体４０は、筒状部材４１と、感熱テープ４２と、バラけ防止シート４３と、アテンションシート４４とを含む。
【００３０】
筒状部材４１は、被記録媒体４０を媒体アダプタ１０に収容したときに被記録媒体４０の回転軸（回転支点）となる部材である。筒状部材４１には、例えば、紙管等が利用可能である。なお、筒状部材４１は、図３に示した円筒状に限らず、軸心方向を回転軸として回転可能な態様で、媒体アダプタ１０に設けた支持部と係合する形状であればよい。媒体アダプタ１０に設けた支持部が円柱状である場合、筒状部材４１は、例えば、開口面が正多角形（例えば、正八角形等）の筒状であってもよい。
【００３１】
感熱テープ４２は、上記のように、文字や図形等を印刷する印刷用のテープである。媒体アダプタ１０に収容する被記録媒体４０は、長手方向の寸法が所定の長さ（例えば、５ｍ〜１０ｍ程度）である感熱テープ４２を筒状部材４１の外周側面に巻き付けた状態で利用者に提供される。すなわち、被記録媒体４０における感熱テープ４２は、長手方向に巻かれて環形状となっており、該環形状における外周側から順に印刷装置１に供給され消費される。以下の説明では、感熱テープ４２のうちの長手方向に巻かれて環形状となっている感熱テープ４２のことを「環形状の感熱テープ４２」ともいう。
【００３２】
感熱テープ４２は、例えば、セパレータＬ５と、粘着層Ｌ４と、基材Ｌ１と、発色層Ｌ２と、保護層Ｌ３とがこの順に積層されている。
【００３３】
基材Ｌ１は、感熱テープ４２におけるベースとなるテープ状の部材であり、例えば、ＰＥＴ（ポリエチレンテレフタレート）により形成される。基材Ｌ１の色を複数種類用意することにより、テープ色の異なる複数種類の感熱テープ４２を提供することが可能となる。
【００３４】
基材Ｌ１における厚さ方向の端面（主面）のうちの一方の端面には、所定の温度以上に加熱することにより発色する（色が変化する）発色層Ｌ２と、発色層Ｌ２を保護する保護層Ｌ３とが積層されている。また、基材Ｌ１における厚さ方向の端面のうちの他方の端面には、粘着層Ｌ４と、セパレータＬ５とが積層されている。粘着層Ｌ４は、例えば、基材に粘着材を塗布して設けており、基材Ｌ１、発色層Ｌ２、及び保護層Ｌ３を含む印刷後のテープを所望の物体に貼り付けることに利用される。セパレータＬ５は、テープを貼り付けるまで粘着層Ｌ４を保護する部材であり、粘着層Ｌ４に対して剥離可能な状態で貼り付けられている。
【００３５】
上記の５層構成の感熱テープ４２は、保護層Ｌ３が内径側となり、セパレータＬ５が外形側となる向きで筒状部材４１に巻きつけられている。
【００３６】
なお、感熱テープ４２は、上記の構成に限らない。例えば、感熱テープ４２は、セパレータＬ５を含まず、粘着層Ｌ４が露出したものであってもよい。また、感熱テープ４２は、保護層Ｌ３を含まず、発色層Ｌ２が露出したものであってもよい。更に、感熱テープ４２における発色層Ｌ２は、例えば、加熱することにより有色の状態から無色透明の状態に変化する層であってもよい。
【００３７】
バラけ防止シート４３は、感熱テープ４２を環形状に維持するために、環形状の感熱テープ４２における側面の一方に貼り付ける粘着シートである。ここで、環形状の感熱テープ４２における側面は、環形状の感熱テープ４２（筒状部材４１）の軸心方向における端面、言い換えると感熱テープ４２の幅方向における一方の端部４２ｂにより形成される面と他方の端部４２ｃにより形成される面とを意味する。図３の被記録媒体４０では、環形状の感熱テープ４２における側面のうちの、感熱テープ４２の端部４２ｂにより形成される側面に、バラけ防止シート４３が貼り付けられる。
【００３８】
バラけ防止シート４３には、中央部分に開口４３ａを有する環形状の粘着シートを用いる。バラけ防止シート４３の開口４３ａの寸法は、感熱テープ４２を巻きつけた筒状部材４１における中空部分の寸法（内径）と同じ寸法、或いは筒状部材４１の中空部分よりも大きい寸法とする。バラけ防止シート４３を感熱テープ４２に貼り付ける際には、筒状部材４１の中空部分の輪郭全体がバラけ防止シート４３の開口４３ａ内に含まれるように貼り付ける。
【００３９】
上記のような多層構造の感熱テープ４２は、例えば、温度や湿度の変化等により膨張及び収縮をすることがあるが、層毎（材料毎）に膨張率が異なる。このため、筒状部材４１に感熱テープ４２を巻き付けただけの場合（言い換えると、バラけ防止シート４３を貼り付けていない場合）、感熱テープ４２の膨張及び収縮により感熱テープ４２の形状が変化し感熱テープ４２がバラけてしまうことがある。また、上記のようにセパレータＬ５を含む感熱テープ４２を筒状部材４１に巻き付けた場合、径方向で隣り合うセパレータＬ５と保護層Ｌ３とは接触した状態である。このため、筒状部材４１に感熱テープ４２を巻き付けただけの場合（言い換えると、バラけ防止シート４３を貼り付けていない場合）、例えば、被記録媒体４０の落下等により感熱テープ４２に外力が加わることで感熱テープ４２の形状が変化し感熱テープ４２がバラけてしまうことがある。
【００４０】
環形状の感熱テープ４２における一方の側面（感熱テープ４２の端部４２ｂにより形成される面）にバラけ防止シート４３を貼り付けた場合、径方向で隣り合う感熱テープ４２の異なる部位同士の位置関係をバラけ防止シート４３により維持することが可能となる。したがって、バラけ防止シート４３を貼り付けることにより、環形状の感熱テープ４２の膨張及び収縮による形状の変化、並びに外力が加わることによる形状の変化等を抑制し、感熱テープ４２がバラけてしまうことを防ぐことが可能となる。
【００４１】
また、バラけ防止シート４３は、図３に示したように、未使用の状態であるときの環形状の感熱テープ４２の側面全体を覆うような大きさを有することが望ましい。すなわち、バラけ防止シート４３の直径は、環形状の感熱テープ４２における直径（最大径）よりも大きいことが望ましい。これにより、環形状の感熱テープ４２における一方の側面全体を粘着面で保持することができるため、環形状をより確実に維持することができる。
【００４２】
更に、バラけ防止シート４３の形状は、環形状の感熱テープ４２における側面の形状に近似した形状であることが望ましい。すなわち、環形状の感熱テープ４２における側面が円環形状であれば、バラけ防止シート４３も円環形状とすることが望ましい。これにより、バラけ防止シート４３における感熱テープ４２の形状維持に貢献しない領域を小さくすることが可能となり、バラけ防止シート４３の大きさを小さくすることができる。また、バラけ防止シート４３における粘着面の露出も少なくなるため、バラけ防止シート４３への塵、埃などの付着も抑えることができる。
【００４３】
アテンションシート４４は、感熱テープ４２の種類を示す情報を利用者に提示するために、環形状の感熱テープ４２における他方の側面（言い換えると、感熱テープ４２における幅方向の端部４２ｃにより形成される側面）に貼り付ける粘着シートである。図３では省略しているが、感熱テープ４２の種類を示す情報は、アテンションシート４４における感熱テープ４２と対向させる面とは反対側の面に印刷される。アテンションシート４４には、テープ４２の種類を示す情報として、例えば、感熱テープ４２の幅及び被記録媒体４０の型番等が印刷される。また、テープ４２の色は、例えば、アテンションシート４４の下地の色により示される。感熱テープ４２には、テープ幅、及び被印刷面（基材Ｌ１）の色の違い等により、様々な種類が存在する。このため、感熱テープ４２の種類を特定する情報が印刷されたアテンションシート４４を感熱テープ４２の側面に貼り付けることで、利用者は、被印刷媒体４０の種類を容易に特定することが可能となる（図２を参照）。
【００４４】
アテンションシート４４には、中央部分に開口４４ａを有する環形状の粘着シートを用いる。アテンションシート４４の開口４４ａの寸法は、感熱テープ４２を巻きつけた筒状部材４１の中空部分の寸法（内径）よりも小さい寸法とする。アテンションシート４４の開口４４ａは、例えば、媒体アダプタ１０のアダプタ本体２０に設けた第２の支持部２３ａと回転自在に嵌合する形状及び寸法で形成されている。アテンションシート４４は、開口４４ａの中心が筒状部材４１の中空部分の中心（軸心）と略一致するように、環形状の感熱テープ４２の側面に貼り付ける。また、アテンションシート４４は、例えば、被印刷媒体４０の販売時など、少なくとも被印刷媒体４０の使用が開始される前においては、環形状の感熱テープ４２の側面よりも小さいことが望ましい。これにより、感熱テープ４２の側面（端部４２ｃにより形成される面）のうちアテンションシート４４に覆われる領域が小さくなるため、利用者が感熱テープ４２の残量を用意に確認することが可能となる。
【００４５】
本実施形態の印刷装置１に利用可能な媒体アダプタ１０は、上記のように、利用者が媒体アダプタ１０に対して被記録媒体４０を適宜出し入れすることを前提に設計されている。更に、媒体アダプタ１０には、上記のように、印刷装置１のアダプタ収容部２ａに収容して蓋４を閉じた状態であっても、被記録媒体４０における感熱テープ４２の幅及び色を利用者が目視により確認できるよう、透明な部材が用いられる。
【００４６】
図４は、媒体アダプタ１０の構成を示す斜視図である。図４に示すように、媒体アダプタ１０は、アダプタ本体２０と、アダプタ蓋３０とを備えている。
【００４７】
アダプタ蓋３０は、アダプタ本体２０に対し、アダプタ本体２０の媒体収容部２２を開閉自在に取り付けられている。本実施形態の媒体アダプタ１０では、アダプタ本体２０の蓋支持部２７においてアダプタ蓋３０の回転支点部３１を回転可能に支持することにより、アダプタ蓋３０を開閉可能にしている。アダプタ蓋３０は、アダプタ本体２０における媒体収容部２２の底面２２ａと、アダプタ蓋３０を閉じたときに媒体収容部２２の底面２２ａと対向する面３３ａとの角度が変更する態様で回転する。被記録媒体４０は、アダプタ本体２０と閉じた状態のアダプタ蓋３０とにより区画される媒体アダプタ１０の内部内に収容される。媒体アダプタ１０の内部は、アダプタ本体２０に設けた凹形状の媒体収容部２２と、アダプタ蓋３０に設けた凹形状の媒体収容部３３とにより区画される。
【００４８】
媒体アダプタ１０の内部は、被記録媒体４０（感熱テープ４２）の幅方向がアダプタ本体２０における媒体収容部２２の底面２２ａの法線方向（ｚ方向）となる向きで被記録媒体４０を収容可能な空間形状を有する。媒体アダプタ１０の内部に被記録媒体４０を収容する際には、図４に示したように、被記録媒体４０におけるバラけ防止シート４３をアダプタ本体２０の媒体収容部２２の底面２２ａと対向させて収容する。この場合、被記録媒体４０におけるアテンションシート４４は、閉じたアダプタ蓋３０における媒体収容部３３の面３３ａと対向する。このため、アダプタ蓋３０は、閉じた状態で利用者が媒体アダプタ１０の内部の状態を目視することができるよう、透明な材料で形成する。より具体的には、アダプタ蓋３０は、アテンションシート４４に印刷されたテープ幅等の文字情報、及びアテンションシート４４の色を正しく視認することが可能な、無色透明の樹脂材料により形成することが好ましい。一方、アダプタ本体２０は、被記録媒体との識別が可能な色の樹脂材料により形成する。
【００４９】
また、本実施形態の印刷装置１と組み合わせて用いる媒体アダプタ１０には、上記のように、印刷可能なテープ幅の種類と対応する複数種類の媒体アダプタ１０がある。このため、アダプタ本体２０のうちアダプタ蓋３０と重なる領域の外側となる部位には、収容する対象である（収容に適した）テープ幅を提示する領域２０ａが設けられている。すなわち、図４では省略しているが、アダプタ本体２０の領域２０ａには、収容に適したテープ幅を示す数字が印刷されている。
【００５０】
複数種類の媒体アダプタ１０の内部区間は、それぞれ、収容する被記録媒体４０のテープ幅毎に、アダプタ本体２０における媒体収容部２２の底面２２ａからアダプタ蓋３０における媒体収容部３３の面３３ａまでの距離が異なる。更に、複数種類の媒体アダプタ１０は、収容する被記録媒体４０のテープ幅毎に、外形寸法における厚さ方向（図４のｚ方向）の寸法が異なる。
【００５１】
媒体アダプタ１０におけるアダプタ本体２０は、図４に示すように、ガイド２１と、媒体収容部２２と、媒体支持部２３と、テープ繰出溝２４と、リブ２５と、蓋支持部２７とを有する。また、図示は省略するが、アダプタ本体２０の外方を向いた面には、ヒレ部が形成されている。
【００５２】
ガイド２１は、媒体収容部２２からテープ繰出溝２４を通して媒体アダプタ１０の外部に繰出された感熱テープ４２の搬送方向を規制する規制部である。ガイド２１は、アダプタ本体２０のうちの、印刷装置１に媒体アダプタ１０を装着した場合に、感熱テープ４２におけるプラテンローラ６とサーマルヘッド７とにより挟持される位置よりも下流側となる位置に設けられる。ガイド２１は、感熱テープ４２の幅方向の端面と対向する第１の規制面２１ａと第２の規制面２１ｂとを有する。第１の規制面２１ａは、感熱テープ４２の幅方向における一方の端部４２ｂ側（−ｚ方向）への感熱テープ４２の移動を規制する規制面である。第２の規制面２１ｂは、感熱テープ４２の幅方向における他方の端部４２ｃ側（＋ｚ方向）への感熱テープ４２の移動を規制する規制面である。第１の規制面２１ａと第２の規制面２１ｂとは、収容に適した感熱テープ４２の幅と略同一の間隔で対向するよう設けられる。プラテンローラ６とサーマルヘッド７との間を通過して排出口に向けて搬送される感熱テープ４２は、ガイド２１の第１の規制面２１ａ又は第２の規制面２１ｂと当接することにより、幅方向への移動が規制される。
【００５３】
媒体収容部２２は、媒体アダプタ１０に区画される内部における内壁面の一部となる凹形状を有する。媒体収容部２２の底面２２ａには、被印刷媒体４０を回転可能に支持する媒体支持部２３（第１の支持部２３ａ及び第２の支持部２３ｂ）と、リブ２５とが設けられている。
【００５４】
媒体支持部２３は、媒体アダプタ１０に被印刷媒体４０が収容された状態で、被印刷媒体４０が有する感熱テープ４２（筒状部材）等の開口に挿通され、被印刷媒体４０を回転可能に支持する。媒体支持部２３は、媒体収容部２２の底面２２ａから突出した第１の支持部２３ａと、第１の支持部２３ａの先端面２３ｃから更に突出した第２の支持部２３ｂとを含む。
【００５５】
第１の支持部２３ａは、バラけ防止シート４３の開口及び感熱テープ４２を巻きつけた筒状部材４１の中空部分（図３を参照）に挿通して筒状部材４１の中空部分と係合させることにより、被記録媒体４０を回転可能に支持する部位である。このため、第１の支持部２３ａの外径は、筒状部材４１の中空部分の内径、及びバラけ防止シート４３の開口４３ａの内径よりも小さい（図３を参照）。また、第１の支持部２３ａの底面２２ａからの高さは、媒体アダプタ１０が対応した感熱テープ４２のテープ幅よりも低い。
【００５６】
第２の支持部２３ｂは、アテンションシート４４の開口４４ａに挿通してアテンションシート４４と係合させることにより、被記録媒体４０を回転可能に支持する部位である。このため、第２の支持部２３ｂの外径は、アテンションシート４４の開口４４ａの寸法よりも小さい。また、第２の支持部２３ｂの底面２２ａからの高さは、媒体アダプタ１０に収容するのに適した感熱テープ４２のテープ幅よりも高い。
【００５７】
アダプタ本体２０のリブ２５は、媒体収容部２２に収容された被記録媒体４０の側面（バラけ防止シート４３）と当接して被記録媒体４０を支持する。すなわち、リブ２５は、媒体収容部２２の底面２２ａと被記録媒体４０の側面（バラけ防止シート４３）との接触面積を低減させる。これにより、媒体アダプタ１０内部で被記録媒体４０が回転するときにアダプタ本体２０と被記録媒体４０との間の摩擦抵抗が減少する。よって、被記録媒体４０のスムーズな回転が実現でき、感熱テープ４２を安定して繰り出し、搬送させることが可能となる。特に、図４のようにリブ２５を媒体支持部２３に対して放射状に設けることで、被記録媒体４０の径方向の各位置に均等に摩擦力を働かせることができる。
【００５８】
更に、アダプタ本体２０の媒体収容部２２は、図４に示すように、底面２２ａのリブ２５における放射状に伸びる部位の間となる位置に平坦な領域２０ｂを有している。領域２０ｂには、例えば、収容する対象である（収容に適した）被記録媒体４０のテープ幅を特定するための情報、及び被記録媒体４０の向き等を示す情報が印刷されたシールを貼り付ける。これにより、利用者は、媒体アダプタ１０に被記録媒体４０を装着するときに、領域２０ｂの情報とアテンションシート４４の情報とを比較することで、被記録媒体４０のテープ幅が媒体アダプタ１０に対応しているテープ幅であるか否かをひと目で確認することができる。このため、利用者が誤ったテープ幅の被記録媒体４０を媒体アダプタ１０に装着することを防止することができる。更に、領域２０ｂに貼り付けたシールに、アテンションシート４４が貼り付けられた面を上向きにして被記録媒体４０を収容することを示す情報が含まれる場合、利用者が被記録媒体４を誤った向きで媒体アダプタ１０に収容することを防止することが可能となる。
【００５９】
テープ繰出溝２４は、媒体アダプタ１０に収容された被記録媒体４０の感熱テープ４２を媒体アダプタ１０の外部に繰り出す（引き出す）ための溝である。テープ繰出溝２４は、媒体収容部２２からアダプタ本体２０の外側面に向かうにつれて、溝内を通過させる感熱テープ４２における厚さ方向の寸法が小さくなるテーパ形状を有する。テープ繰出溝２４は、媒体アダプタ１０における感熱テープ４２の繰出口となる位置で、感熱テープ４２の厚さ方向への移動と、幅方向における一方の端部４２ｂ側（−ｚ方向）への移動とを規制する規制部として機能する。
【００６０】
蓋支持部２７は、アダプタ蓋３０の回転支点部３１を回転可能に支持する支持部である。蓋支持部２７は、アダプタ本体２０のうちの、媒体支持部２３から見て、ガイド２１、テープ繰出溝２４、及びフック受け部（図示せず）等が設けられた方向とは反対側の端部に設けられる。
【００６１】
一方、本実施形態の媒体アダプタ１０におけるアダプタ蓋３０は、図４に示すように、回転支点部３１と、フック部３２と、媒体収容部３３と、リブ３５と、突出部３６と、規制面３７とを有する。
【００６２】
回転支点部３１は、アダプタ本体２０の蓋支持部２７と回転可能に係合し、アダプタ本体２０に対してアダプタ蓋３０が回転するときに支点となる部位である。本実施形態の媒体アダプタ１０におけるアダプタ蓋３０の回転支点部３１とアダプタ本体２０の蓋支持部２７とは、上記のように、アダプタ本体２０の底面２２ａと、アダプタ蓋３０を閉じたときに底面２２ａと対向するアダプタ蓋３０の面３３ａとの角度が変更される態様でアダプタ蓋３０が回転するよう構成されている。
【００６３】
フック部３２は、アダプタ蓋３０を閉じた状態にしたときに、アダプタ本体２０に設けたフック受け部（図示せず）と係合する。フック部３２とアダプタ本体２０のフック受け部とは、アダプタ蓋３０の開く方向への移動を規制する態様で係合する。また、アダプタ蓋３０が閉じた状態であるときにフック部３２を所定の方向（アダプタ本体２０の媒体支持部２３がある方向）に移動させると、フック部３２とアダプタ本体２０のフック受け部との係合が解除され、アダプタ蓋３０を開くことが可能となる。
【００６４】
アダプタ蓋３０の媒体収容部３３は、媒体アダプタ１０に区画される内部における内壁面の一部となる凹形状を有する。媒体収容部３３における、アダプタ本体２０の媒体収容部２２の底面２２ａと対向する面３３ａ（以下「媒体収容部３３の底面３３ａ」ともいう）のうち、アダプタ蓋３０を閉じた状態でアダプタ本体２０の第２の支持部２３ｂと対向する位置は、開口している。また、媒体収容部３３の底面３３ａにおける該開口の周囲には、リブ３５が設けられている。
【００６５】
アダプタ蓋３０のリブ３５は、アダプタ蓋３０における媒体収容部３３の底面３３ａと被印刷媒体４０の側面（アテンションシート４４）との接触面積を低減させる。このため、媒体アダプタ１０内部で被印刷媒体４０が回転するときにアダプタ蓋３０と被印刷媒体４０との間の摩擦抵抗が減少する。よって、被印刷媒体４０のスムーズな回転が実現でき、感熱テープ４２を安定して搬送させることが可能となる。特に、図４のようにリブ３５を放射状に設けることで、被印刷媒体４０の径方向の各位置に均等に摩擦力を働かせることができる。
【００６６】
アダプタ蓋３０の突出部３６は、アダプタ蓋３０における媒体収容部３３の底面３３ａから突出した部位である。該突出部３６は、アダプタ蓋３０を閉じた状態としたときに、アダプタ本体２０のテープ繰出溝２４の出口部分（媒体アダプタ１０の外部に最も近い部分）と対向する位置に設けられている。アダプタ蓋３０の突出部３６は、テープ繰出溝２４を通り媒体アダプタ１０の外部に繰り出される感熱テープ４２の幅方向における他方の端部４２ｃ側（＋ｚ方向）への感熱テープ４２の移動を規制する規制部である。すなわち、本実施形態の媒体アダプタ１０は、アダプタ蓋３０を閉じると、アダプタ本体２０のテープ繰出溝２４とアダプタ蓋３０の突出部３６とにより、内部に収容した感熱テープ４２を媒体アダプタの外部に繰り出す繰出口が形成される。そして、本実施形態の媒体アダプタ１０では、繰出口から外部に繰り出される感熱テープ４２の幅方向への移動を、アダプタ本体２０における繰出口となる部位（テープ繰り出し溝２４）と、アダプタ蓋３０の繰出口となる位置に設けた突出部３６とにより規制する。
【００６７】
アダプタ蓋３０の規制面３７は、媒体アダプタ１０の繰出口において感熱テープ４２の厚さ方向（＋ｙ方向）への移動を規制する部位である。
【００６８】
被印刷媒体４０を媒体アダプタ１０に収容する際、利用者は、感熱テープ４２の幅方向における一方の端部側となる被印刷媒体４０の側面がアダプタ本体２０における媒体収容部２２の底面２２ａと対向する向きで、被印刷媒体４０を媒体収容部２２に収容する。被印刷媒体４０がバラけ防止シート４３及びアテンションシート４４を含む場合、利用者は、図４に示したように、バラけ防止シート４３をアダプタ本体２０における媒体収容部２２の底面２２ａと対向させて被印刷媒体４０を媒体収容部２２に収容する。この際、利用者は、バラけ防止シート４３の開口及び感熱テープ４２を巻きつけた筒状部材の中空部分に、媒体収容部２２の底面２２ａに設けた第１の支持部２３ａを挿通して係合させる。更に、利用者は、アテンションシート４４の開口４４ａに、第１の支持部２３ａ上に設けられた第２の支持部２３ｂを挿通して係合させる。これにより、被印刷媒体４０は、アダプタ本体２０に設けた媒体支持部２３（第１の支持部２３ａ及び第２の支持部２３ｂ）に、底面２２ａと略垂直な方向を回転軸として回転可能に支持される。また、利用者は、被印刷媒体４０における感熱テープ４２の外周側の一端を引き出し、該感熱テープ４２の端部をアダプタ本体２０に設けたテープ繰出溝２４に差し込む（落とし込む）。被印刷媒体４０が媒体支持部２３に支持され、かつ感熱テープ４２の端部がテープ繰出溝２４に差し込まれた状態で、利用者がアダプタ蓋３０を閉じると、アダプタ本体２０と閉じた状態のアダプタ蓋３０とで区画された媒体アダプタ１０の内部に被印刷媒体４０が収納される。このとき、被印刷媒体４０は、アテンションシート４４がアダプタ蓋３０と対向する。このため、アダプタ蓋３０が透明な樹脂材料を成形して形成されたものであれば、利用者は、アダプタ蓋３０を閉じた状態のまま、収容された被記録媒体４０（感熱テープ４２）の幅及び色を視認することが可能となる。
【００６９】
図５は、アダプタ蓋３０を閉じた状態の媒体アダプタ１０におけるテープ繰出部分の拡大斜視図である。図６は、図４のＡ−Ａ線断面図である。
【００７０】
媒体アダプタ１０に収容された被記録媒体４０の感熱テープ４２は、アダプタ本体２０のテープ繰出溝２４を通して媒体アダプタ１０の外部に繰り出される。このとき、図４に示すように、テープ繰出溝２４を通して繰り出される感熱テープ４２の厚さ方向（ｙ方向）への移動は、テープ繰出溝２４における第１の面２４ａ及びアダプタ蓋３０の規制面３７と、テープ繰出溝２４における第２の面２４ｂとにより規制される。テープ繰出溝２４における第１の面２４ａと第２の面２４ｂとは、それぞれ、アダプタ本体２０の繰出口となる位置に設けられた、繰り出す感熱テープ４２における厚さ方向の端面と対向する面である。アダプタ蓋３０の規制面３７は、アダプタ蓋３０が閉じた状態である場合に、テープ繰り出し溝２４における第１の面２４ａと連続し、かつアダプタ蓋３０の突出部３６と接続する面である。
【００７１】
また、図４及び図５に示すように、テープ繰出溝２４を通して繰り出される感熱テープ４２の幅方向（ｚ方向）への移動は、アダプタ本体２０におけるテープ繰出溝２４の底面２２ａと、アダプタ蓋３０の突出部（規制部）３６とにより規制される。
【００７２】
アダプタ本体２０とアダプタ蓋３０とにより区画される内部は、図５に示すように、アダプタ本体２０のリブ２５からアダプタ蓋３０のリブ３５までの距離Ｄ２が、被記録媒体４０の幅Ｗ１と略同一となる。距離Ｄ２は、アダプタ本体２０における媒体収容部２２の底面２２ａからアダプタ蓋３０における媒体収容部３３の底面３３ａまでの距離Ｄ１よりも短い。また、幅Ｗ１は、バラけ防止シート４３及びアテンションシート４４の厚さの分だけ、感熱テープ４２の幅Ｗ２よりも広い。このため、被記録媒体４０の感熱テープ４２は、媒体アダプタ１０の内部における、感熱テープ４２の幅方向（ｚ方向）の寸法が感熱テープ４２の幅Ｗ２よりも広い箇所を通って、媒体アダプタ１０の外部に繰り出される。
【００７３】
しかも、本実施形態の媒体アダプタ１０におけるアダプタ本体２０及びアダプタ蓋３０、並びに被記録媒体４０には、それぞれ公差がある。このため、例えば、図５に示したように、媒体アダプタ１０に収容した被記録媒体４０が幅方向（ｚ方向）に移動可能な状態でアダプタ本体２０の媒体支持部２３（第１の支持部２３ａ）に支持されることもある。このため、感熱テープ４２が媒体アダプタ１０の内部における感熱テープ４２の幅Ｗ２よりも広い箇所を通って媒体アダプタ１０の外部に繰り出される場合、例えば、感熱テープ４２が幅方向に移動して斜行し、印刷エリア８ａに対する感熱テープ４２の位置にずれが生じることがある。
【００７４】
これに対し、本実施形態の媒体アダプタ１０は、図４及び図５に示したように、感熱テープ４２を外部に繰り出す繰出口となる部分に、幅方向に突出する突出部３６を設けている。このため、繰出口における、アダプタ本体２０の媒体収容部２２の底面２２ａからアダプタ蓋３０の突出部３６までの距離Ｄ３は、底面２２ａから底面３３ａまでの距離Ｄ１よりも短くなる。これにより、本実施形態の媒体アダプタ１０では、媒体アダプタ１０の外部に繰り出された感熱テープ４２の幅方向への位置の変動が規制され、感熱テープ４２の斜行を防ぐことが可能となる。よって、媒体アダプタ１０を印刷装置１に装着して感熱テープ４２に印刷をする際に、感熱テープ４２の斜行による感熱テープ４２と印字エリア８ａとの位置ずれを防ぐことが可能となる。更に、幅方向における突出部３６の突出面とガイド２１の第２の規制面２１ｂとの位置を一致させておくことにより、感熱テープ４２の斜行を防ぐ効果がより一層高まる。
【００７５】
以上のように、本実施形態の印刷装置１と組み合わせて用いる媒体アダプタ１０は、収容する対象である被記録媒体４０のテープ幅を示す情報が、利用者が視認可能な態様で提示されている。このため、印刷装置１が幅の異なる複数種類のテープへの印刷に対応しており、かつ収容に適したテープの幅が異なる複数種類の媒体アダプタ１０が用意されている場合であっても、利用者は、被記録媒体４０を適切な媒体アダプタ１０に収容することが可能となる。更に、媒体アダプタ１０のアダプタ蓋３０を透明な樹脂材料で形成することにより、利用者は、アダプタ蓋３０を閉じた状態のまま、被印刷媒体４０が収容されているか否かを視認することが可能となる。
【００７６】
また、アダプタ蓋３０を通してアテンションシート４４の情報を視認可能にした場合、利用者は、アダプタ蓋３０を閉じた状態のまま、媒体アダプタ１０に収容された被記録媒体４０が適切なテープ幅であるか否かを確認することが可能となる。加えて、利用者は、アダプタ蓋３０を閉じた状態のまま、媒体アダプタ１０に収容された被記録媒体４０の感熱テープの色を確認することが可能となる。
【００７７】
ところで、本実施形態の印刷装置１は、上記のように、アダプタ収容部２ａに、厚さ方向（収容する被記録媒体４０のテープ幅方向）の寸法が異なる複数種類の媒体アダプタ１０のそれぞれを収容することが可能である。この種の印刷装置１では、例えば、複数種類の媒体アダプタ１０のそれぞれを、媒体アダプタ１０から供給される感熱テープ４２の幅方向における所定の位置が一致するよう支持する。例えば、複数種類の媒体アダプタ１０は、それぞれ、アダプタ収容部２ａに収容したときの感熱テープ４２の幅方向における中心位置が一致するように支持される。
【００７８】
図７は、収容に適した感熱テープ４２のテープ幅が異なる複数種類の媒体アダプタ１０−１〜１０−４のそれぞれを印刷装置１のアダプタ収容部２ａ内で支持する方法を説明する図である。
【００７９】
図７には、収容に適した感熱テープ４２のテープ幅が異なる複数種類の媒体アダプタ１０の例として、４個の媒体アダプタ１０−１〜１０−４を例示している。第１の媒体アダプタ１０−１は、例えば、テープ幅が６ｍｍの感熱テープ４２を有する被印刷媒体４０−１の収容に適した媒体アダプタである。第２の媒体アダプタ１０−２は、例えば、テープ幅が９ｍｍの感熱テープ４２を有する被印刷媒体４０−２の収納に適した媒体アダプタである。第３の媒体アダプタ１０−３は、例えば、テープ幅が１２ｍｍの感熱テープ４２を有する被印刷媒体４０−３の収納に適した媒体アダプタである。第４の媒体アダプタ１０−４は、例えば、テープ幅が１８ｍｍの感熱テープ４２を有する被印刷媒体４０−４の収納に適した媒体アダプタである。
【００８０】
印刷装置１のアダプタ収容部２ａに媒体アダプタ１０−１〜１０−４のそれぞれを収容する場合、図７に示すように、アダプタ収容部２ａの底面２ｂから感熱テープ４２における幅方向の中心位置Ｔｃまでの距離が所定の距離ＤＣとなるよう収容する。これにより、感熱テープ４２に印刷する際に駆動させるサーマルヘッド８の発熱素子を、感熱テープ４２の幅と印刷装置１内におけるテープ幅方向の中心位置Ｔｃとに基づいて、容易に選択し制御することが可能となる。しかしながら、媒体アダプタ１０−１〜１０−４は、それぞれ、テープ幅の方向と対応した厚さ方向（図７のｚ方向）の寸法が異なる。このため、本実施形態の印刷装置１では、媒体アダプタ１０−１〜１０−４のそれぞれに、収容する被印刷媒体４０が有する感熱テープ４２の幅方向の中心位置ＴＣからの距離が同一であり、かつ厚さが同一のヒレ部２９ａを設ける。なお、図７では、各媒体アダプタ１０−２〜１０−４のそれぞれに設けられた複数のヒレ部のうち、１個のヒレ部２９ａのみを示している。
【００８１】
すなわち、媒体アダプタ１０−１〜１０−４は、それぞれ、被印刷媒体４０が有する感熱テープ４２の幅方向の中心位置ＴＣがアダプタ収容部２ａの底面２ｂから距離ＤＣとなる位置で保持すると、底面２ｂからヒレ部２９ａまでの距離が一致する。このため、アダプタ収容部２ａの底面２ｂに設けた柱状の支持部２０１と蓋４の内部底面４ａに設けた支持部４０１とによりヒレ部２９ａを挟持することにより、テープ幅の異なる複数種類の媒体アダプタ１０−１〜１０−４のそれぞれを収容したときの感熱テープ４２の幅方向の中心位置ＴＣを一致させることが可能となる。
【００８２】
また、複数種類の媒体アダプタ１０−１〜１０−４は、それぞれ、図７に示したように、感熱テープ４２の幅方向と対応した厚さ方向（ｚ方向）の寸法が異なる。このため、印刷装置１では、例えば、アダプタ収容部２ａの底面２ｂから媒体アダプタまでの距離に基づいて、収容されている媒体アダプタがテープ幅何ｍｍの感熱テープ４２と対応した媒体アダプタであるかを識別することが可能となる。
【００８３】
更に、本実施形態の印刷装置１では、印刷処理を行う前に、媒体アダプタに被記録媒体４０が収容されているか否か、収容された被記録媒体４０は適切なテープ幅のものであるか否か等を識別することにより、印刷ミスを防止する。
【００８４】
図８は、一実施形態に係る印刷装置１の機能構成を示す図である。
【００８５】
図８に示すように、本実施形態に係る印刷装置１は、機能構成の観点では、制御部１０１と、入力部１０２と、表示部１０３と、搬送処理部１０４と、印刷処理部１０５と、切断処理部１０６と、記憶部１０７とを備えている。また、印刷装置１は、アダプタ検知部１１０と、アダプタ内部情報取得部１１１と、内容物判別部１１２とを備えている。
【００８６】
制御部１０１は、印刷装置１において実行可能な各種処理を制御する。
【００８７】
入力部１０２は、感熱テープ４２に印刷する文字や図形の入力、各種処理に係る設定値や実行命令の入力等を受け付ける。入力部１０２は、例えば、キーボード装置やタッチパネル装置等の入力装置３（図１を参照）が持つ機能の１つである。表示部１０３は、入力部１０２からの入力に対応する文字や図形、各種設定のための選択メニュー、各種処理に関するメッセージ等を表示する。表示部１０３は、液晶ディスプレイ等の表示装置５が持つ機能の１つである。
【００８８】
搬送処理部１０４は、媒体アダプタ１０から供給される感熱テープ４２を所定の搬送方向に搬送する。搬送処理部１０４は、プラテンローラ６を含む搬送機構が持つ機能の１つである。印刷処理部１０５は、媒体アダプタ１０から供給される感熱テープ４２に熱エネルギーを印加し感熱テープ４２に文字や図形を印刷する。印刷処理部１０５は、サーマルヘッド７を含む印刷機構が持つ機能の１つである。切断処理部１０６は、媒体アダプタ１０から供給される感熱テープ４２を切断する。切断処理部１０６は、カッター８を含む切断機構が持つ機能の１つである。
【００８９】
記憶部１０７は、印刷装置１における各種処理において必要となる情報を記憶する。記憶部１０７は、例えば、印刷装置１において各種処理を実行するためのプログラム、及び設定値等を記憶する。また、記憶部１０７は、例えば、入力部１０２を介して入力された文字や図形の情報、印刷履歴等を記憶する。
【００９０】
アダプタ検知部１１０は、アダプタ収容部２ａに媒体アダプタ１０が収容されているか否か、及び収容された媒体アダプタ１０がテープ幅何ｍｍの被記録媒体４０の収容に適したものであるかを検知する。
【００９１】
アダプタ内部情報取得部１１１は、アダプタ収容部２ａに収容された媒体アダプタ１０の内部の状態に関する情報を取得する。アダプタ内部情報取得部１１１は、例えば、媒体アダプタ１０における透明なアダプタ蓋３０を介して、媒体アダプタ１０の内部の状態についての光学的な情報（例えば色の分布の情報）を取得する。アダプタ内部情報取得部１１１は、センサ４０５を含む検知装置が持つ機能の１つである。
【００９２】
内容物判別部１１２は、アダプタ内部情報取得部１１１により取得した情報に基づいて、媒体アダプタ１０に適切な被記録媒体４０が収容されているか否かを判別する。内容物判別部１１２は、テープ有無識別部１１３と、テープ幅識別部１１４と、テープ色識別部１１５とを含む。
【００９３】
テープ有無識別部１１３は、媒体アダプタ１０に被記録媒体４０が収容されているか否かを識別する。また、テープ有無識別部１１３は、媒体アダプタ１０に収容された被記録媒体４０に感熱テープ４２が残っているか否かを識別する。テープ有無識別部１１３は、例えば、アダプタ内部情報取得部１１１により取得した媒体アダプタ１０の内部の光学的な情報から被記録媒体４０の存在を示すアテンションシート４４を抽出する処理を行い、抽出することができた場合には媒体アダプタ１０内に被記録媒体４０が収容されていると識別する。更に、テープ有無識別部１１３は、例えば、印刷処理等において感熱テープ４２を搬送する動作を行っている期間にアダプタ内部情報取得部１１１により取得した媒体アダプタ１０の内部の光学的な情報から、感熱テープ４２が残っているか否かを識別する。感熱テープ４２を搬送する動作を行っているときに媒体アダプタ１０内に感熱テープ４２が残っている場合、アテンションシート４４が回転する。一方、感熱テープ４２を搬送する動作を行っているときに媒体アダプタ１０内に感熱テープ４２が残っていない場合、アテンションシート４４は回転しない。このため、感熱テープ４２を搬送する動作を行っているときに、アテンションシート４４に印刷されたテープ幅を示す数字や型番が回転しているか否かを判定することにより、感熱テープ４２が残っているか否かを識別することができる。
【００９４】
テープ幅識別部１１４は、媒体アダプタ１０に収容された被記録媒体４０における感熱テープ４２の幅を識別する。テープ色識別部１１５は、媒体アダプタ１０に収容された被記録媒体４０における感熱テープ４２の色を識別する。
【００９５】
図８に示した印刷装置１は、入力部１０２を介して感熱テープ４２に印刷する文字や図形、及び印刷枚数等の印刷設定情報が入力された後、印刷処理の実行命令が入力されると、印刷処理を行う。この際、印刷装置１は、例えば、図９に示したような処理を実行する。
【００９６】
図９は、一実施形態に係る印刷装置１が行う処理を説明するフローチャートである。
【００９７】
図９に示すように、印刷装置１は、印刷処理を実行する前に、まず、アダプタ判別処理（ステップＳ１）を行う。アダプタ判別処理は、制御部１０１がアダプタ検知部１１０の検知結果に基づいて行う。制御部１０１は、アダプタ検知部１１０の検知結果に基づいて、まず、アダプタ収容部２ａに媒体アダプタ１０が装着されているか否かを判別する。そして、媒体アダプタ１０が装着されている場合、制御部１０１は、装着された媒体アダプタ１０が収容する対象としているテープ幅と、入力部１０２を介して設定されたテープ幅とが一致しているか否かを判定する。２つのテープ幅が一致している場合にのみ、制御部１０１は、適切な媒体アダプタ１０が装着されていると判別する。
【００９８】
次に、印刷装置１は、アダプタ判別処理の結果に基づいて、適切な媒体アダプタが装着されているか否かを判定する（ステップＳ２）。ステップＳ２の判定は、例えば、制御部１０１が行う。適切な媒体アダプタが装着されていない場合（ステップＳ２；ＮＯ）、制御部１０１は、エラー情報を出力し（ステップＳ１０）、印刷処理に係る一連の処理を終了する。ここで、適切な媒体アダプタが装着されていない場合は、媒体アダプタ１０が装着されていない場合と、装着されている媒体アダプタ１０が収容する対象としているテープ幅と入力部１０２を介して設定されたテープ幅とが一致していない場合とを含む。適切な媒体アダプタが装着されていない場合、制御部１０１は、例えば、適切な媒体アダプタが装着されていないことを示すエラー情報を表示部１０３に出力する。
【００９９】
適切な媒体アダプタが装着されている場合（ステップＳ２；ＹＥＳ）、印刷装置１は、次に、アダプタ内部の情報を取得する（ステップＳ３）。ステップＳ３の処理は、アダプタ内部情報取得部１１１が行う。アダプタ内部情報取得部１１１は、例えば、蓋４に設けたセンサ４０５（図２を参照）を含み、センサ４０５により媒体アダプタ１０の内部の状態についての情報を取得する。センサ４０５は、媒体アダプタ１０の内部の状態についての情報を取得可能なものであればよい。センサ４０５には、例えば、透明なアダプタ蓋３０を通して媒体アダプタ１０の内部における光学的な情報（例えば色の分布を示す情報）を取得するセンサが利用可能である。アダプタ内部情報取得部１１１は、取得した情報を制御部１０１に送信する。
【０１００】
次に、印刷装置１は、アダプタ内部情報取得部１１１により取得した情報に基づいて、テープ幅識別処理（ステップＳ４）及びテープ色識別処理（ステップＳ５）を行う。テープ幅識別処理及びテープ色識別処理は、内容物判別部１１２が行う。テープ幅識別処理では、内容物判別部１１２は、媒体アダプタ１０内に収容された被記録媒体４０における感熱テープ４２の幅を識別する。テープ幅識別処理は、例えば、内容物判別部１１２のテープ幅識別部１１４とが行う。テープ幅識別部１１４は、アダプタ内部情報取得部１１１により取得した（光学的な）情報に基づいて、媒体アダプタ１０内に存在する被記録媒体４０におけるアテンションシート４４に印刷されたテープ幅を示す数字或いは型番を抽出し、テープ幅を識別する。一方、テープ色識別処理では、内容物判別部１１２は、媒体アダプタ１０に収容された被記録媒体４０における感熱テープ４２の色を識別する。テープ色識別処理は、内容物判別部１１２のテープ色識別部１１５が行う。テープ色識別部１１５は、アダプタ内部情報取得部１１１により取得した情報に基づいて、被記録媒体４０におけるアテンションシート４４の下地の色を抽出して識別する。
【０１０１】
テープ幅識別処理及びテープ色識別処理を終えると、印刷装置１は、次に、テープの幅及び色を識別することができたか否かを判定する（ステップＳ６）。ステップＳ６の判定は、例えば、制御部１０１が行う。テープの幅又は色を識別できなかった場合（ステップＳ６；ＮＯ）、制御部１０１は、エラー情報を出力し（ステップＳ１０）、印刷処理に係る一連の処理を終了する。テープの幅を識別することができなかった場合、制御部１０１は、テープの幅が不明であることを示すエラー情報を表示部１０３に出力する。テープの色を識別することができなかった場合、制御部１０１は、テープの色が不明であることを示すエラー情報を表示部１０３に出力する。
【０１０２】
これに対し、テープの幅及び色を識別できた場合（ステップＳ６；ＹＥＳ）、制御部１０１は、次に、媒体アダプタ１０に収容された感熱テープ４２の幅が媒体アダプタ１０と対応しているか否かを判定する（ステップＳ７）。ステップＳ７では、制御部１０１は、ステップＳ４で識別した媒体アダプタ１０に収容された感熱テープ４２のテープ幅が、ステップＳ１において判別した媒体アダプタ１０が収容する対象としているテープ幅と合致しているか否かを判定する。テープの幅が媒体アダプタ１０と対応していない場合（ステップＳ７；ＮＯ）、制御部１０１は、エラー情報を出力し（ステップＳ１０）、印刷処理に係る一連の処理を終了する。この場合、制御部１０１は、媒体アダプタ１０に収容された被印刷媒体４０が、媒体アダプタ１０が収容する対象としているものとは異なることを示すエラー情報を表示部１０３に出力する。
【０１０３】
一方、テープの幅が媒体アダプタ１０と対応している場合（ステップＳ７；ＹＥＳ）、印刷装置１は、印刷処理（ステップＳ８）を行う。ステップＳ８の印刷処理は、制御部１０１による制御のもと、搬送処理部１０４と、印刷処理部１０５と、切断処理部１０６とが連携して行う。印刷処理を終えると、制御部１０１は、印刷処理に係る一連の処理を終了する。
【０１０４】
このように、本実施形態の印刷装置１では、媒体アダプタ１０が収容する対象としている感熱テープ４２の幅と、媒体アダプタ１０に収容された被記録媒体４０における感熱テープ４２の幅とが合致している場合にのみ、印刷処理（ステップＳ８）を行う。
【０１０５】
印刷装置１において印刷処理を行う際には、図１に示したように、蓋４を閉じた状態で行うことが非常に多い。蓋４を閉じた状態では、利用者は、窓４０４から被記録媒体４０における感熱テープ４２の幅を視認することができるものの、媒体アダプタ１０が視認した感熱テープ４２の幅と対応したものであるか否かは判別することが困難である。媒体アダプタ検知部１１０の検知結果に基づいて判別した感熱テープ４２の幅と、媒体アダプタ１０から供給される感熱テープ４２の幅とが異なっている場合には、印刷ミスが生じる。
【０１０６】
これに対し、本実施形態の印刷装置１では、上記のように、媒体アダプタ１０から供給される感熱テープ４２の幅が、媒体アダプタ１０が収容する対象としている感熱テープ４２の幅と合致した場合にのみ印刷処理を行う。したがって、本実施形態の印刷装置１によれば、媒体アダプタ１０から供給される感熱テープ４２の幅が、媒体アダプタ１０が収容する対象としている感熱テープ４２の幅とが異なることによる印刷ミスを防ぐことが可能となる。
【０１０７】
図１０は、アダプタ判別処理の内容を説明するフローチャートである。
【０１０８】
本実施形態の印刷装置１は、図９のフローチャートにおけるアダプタ判別処理（ステップＳ１）として、例えば、図１０のフローチャートに沿った処理を行う。図１０のフローチャートに沿った処理は、例えば、印刷装置１の制御部１０１が行う。この場合、制御部１０１は、まず、アダプタ検知部１１０の検知結果に基づいて、媒体アダプタ１０が装着されているか否かを判定する（ステップＳ１０１）。媒体アダプタ１０が装着されていない場合（ステップＳ１０１；ＮＯ）、制御部１０１は、適切なアダプタが装着されていないと認識し（ステップＳ１０５）、アダプタ判別処理を終了する。
【０１０９】
一方、媒体アダプタ１０が装着されている場合（ステップＳ１０１；ＹＥＳ）、制御部１０１は、次に、アダプタ検知部１１０の検知結果に基づいて、装着されている媒体アダプタと対応するテープ幅を識別する（ステップＳ１０２）。アダプタ検知部１１０は、既知の検知方法に従って媒体アダプタ１０が装着されているか否かを検知する。検知の対象となる媒体アダプタが図７に示した４種類の媒体アダプタ１０−１〜１０−４である場合、アダプタ検知部１１０は、検知結果として、例えば、下記の５通りの信号を出力する。
（１）テープ幅が６ｍｍの被記録媒体４０−１を収容の対象とする媒体アダプタ１０−１が装着されていることを示す信号
（２）テープ幅が９ｍｍの被記録媒体４０−２を収容の対象とする媒体アダプタ１０−２が装着されていることを示す信号
（３）テープ幅が１２ｍｍの被記録媒体４０−３を収容の対象とする媒体アダプタ１０−３が装着されていることを示す信号
（４）テープ幅が１８ｍｍの被記録媒体４０−４を収容の対象とする媒体アダプタ１０−４が装着されていることを示す信号
（５）媒体アダプタ１０−１〜１０−４が装着されていないことを示す信号
【０１１０】
すなわち、アダプタ収容部２ａに媒体アダプタ１０が装着されている場合、アダプタ検知部１１０は、上記の（１）〜（４）のいずれかの信号を出力する。このため、制御部１０１は、ステップＳ１０２において、アダプタ検知部１１０が出力した信号（検知結果）が（１）〜（４）の信号のいずれであるかを識別する。
【０１１１】
ステップＳ１０２の処理を終えると、制御部１０１は、次に、媒体アダプタ１０が収容の対象とするテープ幅が設定通りであるか否かを判定する（ステップＳ１０３）。ステップＳ１０３の判定では、制御部１０１は、ステップＳ１０２で識別したテープ幅と、入力部１０２を介して設定されたテープ幅とが合致しているか否かを判定する。テープ幅が設定通りではない場合（ステップＳ１０３；ＮＯ）、制御部１０１は、適切なアダプタが装着されていないと認識し（ステップＳ１０５）、アダプタ判別処理を終了する。この場合、印刷装置１は、適切なアダプタが装着されていないことを示すエラー情報を出力する（ステップＳ１０）。
【０１１２】
一方、テープ幅が設定通りである場合（ステップＳ１０３；ＹＥＳ）、制御部１０１は、適切なアダプタが装着されていると認識し（ステップＳ１０４）、アダプタ判別処理を終了する。この場合、印刷装置１は、図９のフローチャートにおけるステップＳ３以降の処理を行う。
【０１１３】
図１１は、テープ幅識別処理の内容を説明するフローチャートである。
【０１１４】
本実施形態の印刷装置１は、図９のフローチャートにおけるテープ幅識別装置（ステップＳ４）として、例えば、図１１のフローチャートに沿った処理を行う。図１１のフローチャートに沿った処理は、例えば、印刷装置１の内容物判別部１１２が行う。この場合、内容物判別部１１２は、まず、アダプタ内部情報取得部１１１により取得したアダプタ内部の情報から、テープ幅に関する情報を抽出する（ステップＳ４０１）。ステップＳ４０１の処理は、例えば、テープ幅識別部１１４が行う。テープ幅識別部１１４は、例えば、媒体アダプタ１０内の状態を示す光学的な情報（例えば色の分布等）からテープ幅を示す数字及び被記録媒体４０の型番を示す数字を抽出する。
【０１１５】
ステップＳ４０１の処理を終えると、テープ幅識別部１１４は、テープ幅を示す数字を抽出したか否かを判定する（ステップＳ４０２）。テープ幅を示す数字を抽出した場合（ステップＳ４０２；ＹＥＳ）、テープ幅識別部１１４は、抽出した数字に基づいて、媒体アダプタ１０に収容された被記録媒体１０（感熱テープ４２）のテープ幅を識別する（ステップＳ４０３）。テープ幅を識別した後、テープ幅識別部１１４は、テープ幅識別処理を終了する。
【０１１６】
一方、テープ幅を示す数字を抽出しなかった場合（ステップＳ４０２；ＮＯ）、テープ幅識別部１１４は、次に、テープ（被記録媒体４０）の型番を抽出したか否かを判定する（ステップＳ４０４）。テープの型番を抽出した場合（ステップＳ４０４；ＹＥＳ）、テープ幅識別部１１４は、抽出した型番に基づいて、媒体アダプタ１０に収容された被記録媒体１０（感熱テープ４２）のテープ幅を識別する（ステップＳ４０３）。なお、型番に基づいてテープ幅を識別する場合、テープ幅識別部１１４は、例えば、制御部１０１を介して記憶部１０７に記憶させた型番とテープ幅との対応テーブルを参照し、抽出した型番と対応するテープ幅を取得する。
【０１１７】
これに対し、テープ幅を示す数字及び型番を抽出することができなかった場合（ステップＳ４０４；ＮＯ）、テープ幅識別部１１４は、識別不可とし（ステップＳ４０５）、テープ幅識別処理を終了する。
【０１１８】
このように、テープ幅識別処理では、アテンションシート４４に印刷されたテープ幅を示す数字、又は被記録媒体４０の型番に基づいて、媒体アダプタ１０に収容された被記録媒体４０（感熱テープ４２）のテープ幅を識別する。このため、適切な被記録媒体４０が収容されているにも関わらずテープ幅を識別することができなかったことによる、印刷処理の中止の発生頻度の増大を抑制することが可能となる。
【０１１９】
図１２は、テープ色識別処理の内容を説明するフローチャートである。
【０１２０】
本実施形態の印刷装置１は、図９のフローチャートにおけるテープ色識別装置（ステップＳ５）として、例えば、図１２のフローチャートに沿った処理を行う。図１２のフローチャートに沿った処理は、例えば、印刷装置１の内容物判別部１１２が行う。この場合、内容物判別部１１２は、まず、アダプタ内部情報取得部１１１により取得した媒体アダプタ１０内の情報から、テープの色を示す情報を抽出する（ステップＳ５０１）。ステップＳ５０１の処理は、例えば、テープ色識別部１１５が行う。テープ色識別部１１５は、例えば、媒体アダプタ１０内の状態を示す情報（例えば色の分布等）から、アテンションシート４４の下地の色を抽出する。
【０１２１】
ステップＳ５０１の処理を終えると、テープ色識別部１１５は、次に、アテンションシート４４の中央部の色を抽出したか否かを判定する（ステップＳ５０２）。中央部の色を抽出した場合（ステップＳ５０２；ＹＥＳ）、テープ色識別部１１５は、抽出した色の情報に基づいて、媒体アダプタ１０に収容された被記録媒体１０（感熱テープ４２）のテープ色を識別する（ステップＳ５０３）。テープ色を識別した後、テープ色識別部１１５は、テープ色識別処理を終了する。
【０１２２】
一方、中央部の色を抽出できなかった場合（ステップＳ５０２；ＮＯ）、テープ色識別部１１５は、次に、周辺部の色を抽出したか否かを判定する（ステップＳ５０４）。周辺部の色を抽出した場合（ステップＳ５０４；ＹＥＳ）、テープ色識別部１１５は、抽出した色の情報に基づいて、媒体アダプタ１０に収容された被記録媒体１０（感熱テープ４２）のテープ色を識別する（ステップＳ５０３）。
【０１２３】
これに対し、中央部の色及び周辺部の色を抽出することができなかった場合（ステップＳ５０４；ＮＯ）、テープ色識別部１１５は、識別不可とし（ステップＳ５０５）、テープ色識別処理を終了する。
【０１２４】
図１３は、アダプタ内部情報取得部１１１により取得可能な光学的な情報を説明する図である。図１３には、媒体アダプタ１０に収容された被記録媒体４０をアダプタ蓋３０側から見た場合の、該被記録媒体４０の平面図を示している。
【０１２５】
被記録媒体４０が正しい向きで収容された媒体アダプタ１０を印刷装置１に装着した場合、被記録媒体４０におけるアテンションシート４４側の側面が、印刷装置１の蓋４に設けたセンサ４０５と対向する。蓋４のセンサ４０５は、窓４０４と隣接した窓４０４とは重ならない位置に設けられる。また、窓４０４は、印刷装置１に正対している利用者に対し、窓４０４から見えるテープ幅を示す数字が容易に視認することが可能となる位置に設けられる。このため、窓４０４は、例えば、媒体アダプタ１０に収容された被記録媒体４０のうちの窓４０４と重なる領域Ａｗが、図１３に示したように、テープ幅を示す数字が正位置となる部分領域を含み、かつ同時に２個分以上の数字が含まれる位置及び寸法となるよう設けられる。したがって、被記録媒体４０のうちのセンサ４０５と重なる領域Ａｓは、窓４０４と重なる領域Ａｗ外の領域Ａｓ’内に設定される。領域ＡＳ’内にはアテンションシート４４が含まれるため、領域Ａｓ’内の光学的な情報をセンサ４０５により取得することで、アテンションシート４４に印刷されたテープ幅を示す数字４４ｂや型番４４ｃを抽出することが可能となる。また、図１３のように、アテンションシート４４よりも外径側に存在する感熱テープ４２を含む領域Ａｓ’内全体から光学的な情報を取得する場合、印刷装置１では、例えば、取得した情報に基づいて、感熱テープ４２の色や残量を識別することが可能となる。
【０１２６】
図１４は、被記録媒体４０の使用を開始した直後におけるアダプタ内部の光学的な情報を説明する図である。図１５は、被記録媒体４０の感熱テープ４２を半分程度使用した状態でのアダプタ内部の光学的な情報を説明する図である。
【０１２７】
図１４には、被記録媒体４０の使用を開始した直後における媒体アダプタ１０の断面構成と、アダプタ内部情報取得部１１１（センサ４０５）により取得した光学的な情報との対応関係を示している。アダプタ内部情報取得部１１１（センサ４０５）により取得した光学的な情報は、例えば、該情報を取得した領域Ａｓ内における各点の色と対応した階調で表される。このため、例えば、媒体アダプタ１０のアダプタ本体２２における媒体収容部２２の底面２２ａの色を、アテンションシート４４の色との差が明確な色とすることにより、階調情報に基づいて、アテンションシート４４とアダプタ本体２２とを識別することが可能となる。図１４に示した例では、アダプタ本体２０に設けた媒体支持部２３（第２の支持部２３ｂ）と対応する点Ｐ０から点Ｐ１までの区間Ａ１の階調と、アテンションシート４４と対応する点Ｐ１から点Ｐ２までの区間Ａ２の階調とが大きく異なっている。
【０１２８】
また、環形状の感熱テープ４２における端部４２ｃにより形成された面のうちアテンションシート４４と重なっていない領域は、基材Ｌ１が露出している。このため、環形状の感熱テープ４２における端部４２ｃにより形成された面のうちの基材Ｌ１が露出している点Ｐ２から点Ｐ３までの区間Ａ３の階調は、アテンションシート４４と対応する点Ｐ１から点Ｐ２までの区間Ａ２の階調とが略同一となる。
【０１２９】
これに対し、被記録媒体４０の外方となる点Ｐ４よりも外方の領域Ａ５は、アダプタ本体２０の底面２２ａが露出している。このため、点Ｐ４よりも外方の領域Ａ５の階調は、媒体支持部２３（第２の支持部２３ｂ）と対応する点Ｐ０から点Ｐ１までの区間Ａ１の階調と略同一となる。
【０１３０】
ここで、被記録媒体４０におけるバラけ防止シート４３のうちの感熱テープ４２と貼り合わせる面の色を、媒体アダプタ１０のアダプタ本体２０の色と類似した色にすると、バラけ防止シート４３が露出した点Ｐ３から点Ｐ４までの区間Ａ４の階調は、点Ｐ４よりも外方の領域Ａ５の階調に近い値となる。従って、図１４に示したように、アダプタ本体２０の色と対応する階調と、アテンションシート４４の下地の色と対応する階調との間に閾値ＴＨを設定することで、感熱テープ４２の色を示す区間Ａ２及びＡ３と、その他の区間Ａ１，Ａ４，及びＡ５とを分別することが可能となる。
【０１３１】
また、媒体アダプタ１０に収容した被記録媒体４０の感熱テープ４２を使用すると（消費すると）、媒体アダプタ１０の内部の状態は、図１４に示した状態から、図１５に示した状態に変化する。すなわち、感熱テープ４２の色を示す区間Ａ３とバラけ防止シート４３の色を示す区間Ａ４との境界となる点Ｐ３の位置が被記録媒体４０の回転中心（点Ｐ０）側に移動する。そして、図示は省略するが、感熱テープ４２を更に使用すると、点Ｐ３は点Ｐ２と重なる。このため、本実施形態の印刷装置１では、テープ色識別処理の識別結果に基づいて、感熱テープ４２のおおよその残量を認識することが可能となる。したがって、例えば、テープ色識別処理において感熱テープ４２の基材Ｌ１の色を示す区間Ａ３を識別（抽出）できなかった場合に、感熱テープ４２の残量がわずかであることを利用者に報知することが可能となる。
【０１３２】
更に、本実施形態の印刷装置１では、例えば、上記のように、印刷処理等の感熱テープ４２を搬送する動作を行っているときの媒体アダプタ１０の内部の光学的な情報に基づいて、感熱テープ４２の有無を識別することが可能である。
【０１３３】
図１６は、搬送動作時における媒体アダプタ１０内のテープの有無の識別方法を説明する図である。
【０１３４】
本実施形態の印刷装置１では、媒体アダプタ１０から供給される感熱テープ４２を、媒体アダプタ１０の外部空間に設けたプラテンローラ６により所定の搬送方向に搬送する。このとき、媒体アダプタ１０内の被記録媒体４０は、感熱テープ４２が搬送方向に移動することで環形状の感熱テープ４２に加わる外力によって回転する。したがって、搬送動作時に、感熱テープ４２の一部分が筒状部材４１に巻きつけられた状態で残っている場合、アテンションシートの文字（テープ幅を示す数字や型番）の位置は、回転移動する。よって、例えば、テープ有無識別部１１３において、搬送動作時にアダプタ内部情報取得部１１１により取得した情報からアテンションシートの文字が回転移動していることを検出した場合には、感熱テープ４２が有る（残っている）と識別することが可能となる。
【０１３５】
一方、媒体アダプタ１０内の被記録媒体４０における感熱テープ４２が筒状部材４１から離間すると、プラテンローラ６が感熱テープ４２を搬送する動作を行っていても、被記録媒体４０は回転しない。よって、例えば、テープ有無識別部１１３において、搬送動作時にアダプタ内部情報取得部１１１により取得した情報からアテンションシートの文字の位置が変化していないことを検出した場合には、感熱テープ４２が無い（テープ切れ）と識別することが可能となる。
【０１３６】
なお、上述した実施形態は、発明の理解を容易にするために具体例を示したものであり、本発明はこれらの実施形態に限定されるものではない。印刷装置１は、特許請求の範囲の記載を逸脱しない範囲において、様々な変形、変更が可能である。
【０１３７】
例えば、印刷装置１が行う処理として図９に示したフローチャートでは、感熱テープ４２の幅及び色の識別しているが、印刷装置１が行う処理は、これに限らず、感熱テープ２の幅のみを識別する処理であってもよい。また、図９のフローチャートにおけるステップＳ１〜Ｓ７、及びＳ１０の処理は、印刷処理（ステップＳ９）を実行する直前に限らず、任意のタイミング（例えば、蓋４を閉じたタイミング）で行ってもよい。
【０１３８】
また、例えば、上述した実施形態では、入力装置３と表示装置５とを有する印刷装置１を例示したが、印刷装置１は、入力装置や表示装置を有しなくてもよい。すなわち、文字や図形等の印刷データは、例えば、コンピュータ等の、印刷装置１とは別の電子機器から入力されても良い。
【０１３９】
以下、本願の出願当初の特許請求の範囲に記載された発明を付記する。
［付記１］
長手方向に巻かれたテープを収容した媒体アダプタから供給される前記テープに印刷を行う印刷装置であって、
前記媒体アダプタを収容するアダプタ収容部を有する装置筐体と、
前記装置筐体における前記アダプタ収容部を開閉可能な態様で前記装置筐体に取り付けられた蓋と、
前記アダプタ収容部に収容された前記媒体アダプタが収容の対象とする前記テープの幅を検知するアダプタ検知部と、
前記蓋が閉じている状態で、前記媒体アダプタに収容された前記テープの幅の情報を含む、前記媒体アダプタの内部の情報を取得するアダプタ内部情報取得部と、
取得した前記媒体アダプタの内部の情報に基づいて識別した前記媒体アダプタに収容された前記テープの幅と、前記アダプタ検知部において検知した前記テープの幅とが一致している場合に、前記媒体アダプタから供給される前記テープに対する印刷処理を実行する制御部と、を備える
ことを特徴とする印刷装置。
【０１４０】
［付記２］
付記１に記載の印刷装置であって、
前記被記録媒体は、前記環形状のテープにおけるテープ幅方向の一方の端面に、前記テープの幅を示す情報が印刷されたアテンションシートが貼り付けられており、
前記アダプタ内部情報取得部は、前記アテンションシートの情報を取得する、
ことを特徴とする印刷装置。
【０１４１】
［付記３］
付記２に記載の印刷装置であって、
前記アダプタ内部情報取得部により取得した前記アテンションシートの情報から前記媒体アダプタに収容された前記テープの幅を抽出して識別するテープ幅識別部、を更に備える
ことを特徴とする印刷装置。
【０１４２】
［付記４］
付記３に記載の印刷装置であって、
前記アテンションシートの情報は、前記被記録媒体の型番を示す情報を含み、
前記テープ幅識別部は、前記アテンションシートの情報から前記型番を識別し、識別した前記型番に基づいて前記媒体アダプタに収容された前記テープの幅を識別する
ことを特徴とする印刷装置。
【０１４３】
［付記５］
付記２乃至付記４に記載の印刷装置のいずれかであって、
前記アテンションシートの情報は、前記テープの色を示す情報を含み、
前記アダプタ内部情報取得部により取得した前記アテンションシートの情報から前記媒体アダプタに収容された前記テープの色を抽出して識別するテープ色識別部、を更に備える
ことを特徴とする印刷装置。
【０１４４】
［付記６］
付記２乃至付記５に記載の印刷装置のいずれかであって、
該印刷装置は、
前記媒体アダプタの外部に繰り出された前記テープを搬送する搬送部と、
前記搬送部の動作状況と、前記アダプタ内部情報取得部により取得した情報とに基づいて、前記媒体アダプタの内部に前記テープがあるか否かを識別するテープ有無識別部と、を更に備える
ことを特徴とする印刷装置。
【０１４５】
［付記７］
付記６に記載の印刷装置であって、
前記テープ有無識別部は、前記搬送部が搬送動作時に、前記アダプタ内部情報取得部により取得した前記アテンションシートの情報から、前記アテンションシートが回転しているか否かを判別し、判別結果に基づいて前記テープがあるか否かを識別する
ことを特徴とする印刷装置。
【０１４６】
［付記８］
長手方向に巻かれたテープを収容した媒体アダプタから供給される前記テープに印刷を行う印刷装置が、
該印刷装置に収容された前記媒体アダプタが収容の対象とする前記テープの幅を検知し、
前記媒体アダプタに収容された前記被記録媒体における前記テープの幅の情報を含む、前記媒体アダプタの内部の情報を取得し、
取得した前記媒体アダプタの内部の情報に基づいて、前記アダプタに収容された前記テープの幅を識別し、
前記媒体アダプタに収容された前記テープの幅と、検知した前記テープの幅とが一致している場合に、前記媒体アダプタから供給される前記テープに対する印刷を実行する
ことを特徴とする印刷装置の制御方法。
【符号の説明】
【０１４７】
１・・・印刷装置、２・・・装置筐体、２ａ・・・アダプタ収容部、２ｂ・・・（アダプタ収容部２ａの）底面、２０１・・・支持部、３・・・入力装置、４・・・蓋、４ａ・・・（蓋４の）内部底面、４ｒ・・・ボタン、４０１，４０２・・・支持部、４０３・・・アダプタ押さえ部、４０４・・・窓、４０５・・・センサ、５・・・表示装置、６・・・プラテンローラ、７・・・サーマルヘッド、８・・・カッター、１０，１０−１〜１０−４・・・媒体アダプタ、２０・・・アダプタ本体、２０ａ，２０ｂ・・・領域、２１・・・ガイド、２１ａ・・・第１の規制面、２１ｂ・・・第２の規制面、２２，３３・・・媒体収容部、２２ａ，３３ａ・・・底面、２３・・・媒体支持部、２３ａ・・・第１の支持部、２３ｂ・・・第２の支持部、２３ｃ・・・先端面、２４・・・テープ繰出溝、２５，３５・・・リブ、２７・・・蓋支持部、２９ａ・・・ヒレ部、３０・・・アダプタ蓋、３１・・・回転支点部、３２・・・フック部、４０，４０−１〜４０−４・・・被印刷媒体、４２・・・感熱テープ、４２ｂ，４２ｃ・・・端部、４３・・・バラけ防止シート、４４・・・アテンションシート、４３ａ，４４ａ・・・開口、１０１・・・制御部、１０２・・・入力部、１０３・・・表示部、１０４・・・搬送処理部、１０５・・・印刷処理部、１０６・・・切断処理部、１０７・・・記憶部、１１０・・・アダプタ検知部、１１１・・・アダプタ内部情報取得部、１１２・・・内容物判別部、１１３・・・テープ有無識別部、１１４・・・テープ幅識別部、１１５・・・テープ色識別部
【図１】
2019162813.tif 000003
【図２】
2019162813.tif 000004
【図３】
2019162813.tif 000005
【図４】
2019162813.tif 000006
【図５】
2019162813.tif 000007
【図６】
2019162813.tif 000008
【図７】
2019162813.tif 000009
【図８】
2019162813.tif 000010
【図９】
2019162813.tif 000011
【図１０】
2019162813.tif 000012
【図１１】
2019162813.tif 000013
【図１２】
2019162813.tif 000014
【図１３】
2019162813.tif 000015
【図１４】
2019162813.tif 000016
【図１５】
2019162813.tif 000017
【図１６】
2019162813.tif 000018